(57)【要約】【課題】本発明は、ＵＳＢ２．０の構造と実質的に同一であり、伝送速度が速いＵＳＢコネクタ電気コネクタを提供することを目的とする。【解決手段】本発明の電気コネクタは、絶縁性本体と、複数のパワー端子と、光部材とを備える。絶縁性本体は、本体部と、本体部から突出する舌板と、舌板に形成される複数の端子溝と、本体部に形成されて前記舌板の下に位置する収納穴と、を有する。パワー端子は、絶縁性本体の舌板の端子溝に挿入され、端子溝から露出される接触部を有する。光部材は、前記収納穴に位置する複数のファイバーを有する。【選択図】図６
2010212236.tif 000002
【特許請求の範囲】
【請求項１】
本体部と、本体部から突出する舌板と、舌板に形成される複数の端子溝と、本体部に形成されて前記舌板の下に位置する収納穴と、を有する絶縁性本体と、
絶縁性本体の舌板の端子溝に挿入され、端子溝から露出される接触部を有する複数のパワー端子と、
前記収納穴に位置する複数のファイバーを有する光部材と、
を備えることを特徴とする電気コネクタ。
【請求項２】
前記パワー端子と前記ファイバーとは、横方向と上下方向とにオフセットして配列されることを特徴とする請求項１に記載の電気コネクタ。
【請求項３】
前記複数のパワー端子が一対のパワー端子であり、前記複数のファイバーが一対のファイバーであり、前記一対のパワー端子が、一対のファイバーの外側に位置することを特徴とする請求項２に記載の電気コネクタ。
【請求項４】
前記光部材が前記ファイバーを保持するレンズ部を備え、前記レンズ部には前記ファイバーが挿入される一対の挿入路が形成され、挿入路の前端には前記ファイバーに対応するミラー部が設けられることを特徴とする請求項１に記載の電気コネクタ。
【請求項５】
前記レンズ部が基部と基部から突出するノーズ部を有し、前記ミラー部が前記ノーズ部に設けられ、前記ノーズ部が前記絶縁性本体の前記収納穴に嵌入され、前記ノーズ部の前表面と前記絶縁性本体の前記本体部の前表面とは面一になることを特徴とする請求項４に記載の電気コネクタ。
【請求項６】
第１本体部と、第１本体部から突出して一対の第１端子溝が形成される第１舌板と、を有する第１絶縁性本体と、
前記第１絶縁性本体の前記一対の第１端子溝に挿入される一対の第１パワー端子と、
前記第１絶縁性本体の前記第１本体部に挿入され、一対の第１ファイバーを有する第１光部材と、
を有する電気コネクタと、
第２本体部と第２舌板とを有する第２絶縁性本体と、
前記第２舌板に挿入され、前記第１パワー端子と電気接続する一対の第２パワー端子と、
前記第１ファイバーに対応する一対の第２ファイバーを有する第２光部材と、
を備え、前記電気コネクタに挿入される相手プラグと、
を備えることを特徴とする電気コネクタ組立体。
【請求項７】
前記第１パワー端子と前記第１ファイバーとは、横方向と上下方向とにオフセットして配列され、前記第２パワー端子と前記第２ファイバーとは、横方向と上下方向とにオフセットして配列されることを特徴とする請求項６に記載の電気コネクタ組立体。
【請求項８】
相手口を有する絶縁性本体と、
相手口に第１レベルに配置される複数の電気伝送パスと、
相手口に前記第１レベルから離れる第２レベルに配置される複数の光伝送パスと、
を備え、前記電気伝送パスと前記光伝送パスとは、横方向にオフセットし、上下方向に重なって配列されることを特徴とする電気コネクタ。
【請求項９】
前記絶縁性本体が第１、第２保持部を有し、前記電気伝送パスが、前記第１保持部に保持され、前記光伝送パスが、前記第２保持部に保持され、前記電気伝送パスが前記光パスの外側に配置されることを特徴とする請求項８に記載の電気コネクタ。
【発明の詳細な説明】
【技術分野】
【０００１】
本発明は、電気コネクタに関し、特に、光部材を具備するＵＳＢ（ＵｎｉｖｅｒｓａｌＳｅｒｉａｌ  Ｂｕｓ）コネクタに関するものである。
【背景技術】
【０００２】
ＵＳＢ２．０は、２０００年に規格化された。ＵＳＢ２．０の最高速度は、４８０Ｍｂｉｔ/ｓでありＵＳＢ２．０の伝送速度は、高速の要求を満足できない。２００８年に規格化されたＵＳＢ３．０の伝送速度は、ＵＳＢ２．０の伝送速度より速い。ＵＳＢ３．０は、二対の差分信号端子が増加されたため、ＵＳＢ３．０の端子数は、ＵＳＢ２．０の端子数より、多く、ＵＳＢ３．０の寸法は、ＵＳＢ２．０の寸法より大きい。
【発明の概要】
【発明が解決しようとする課題】
【０００３】
ＵＳＢ３．０の構造は、複雑となり、ＵＳＢ３．０の寸法は、ＵＳＢ２．０の寸法より大きい。そのためＵＳＢ３．０を製造する過程では、ＵＳＢ２．０を製造するための型を利用することができず、ＵＳＢ３．０を製造するため、新しい型を開発しなければならない。
【０００４】
そこで本発明の目的は、ＵＳＢ２．０の構造と実質的に同一であり、伝送速度が速いＵＳＢコネクタを提供することにある。
【課題を解決するための手段】
【０００５】
前記目的を達成するために、本発明の電気コネクタは、絶縁性本体と、複数のパワー端子と、光部材とを備える。絶縁性本体は、本体部と、本体部から突出する舌板と、舌板に形成される複数の端子溝と、本体部に形成されて前記舌板の下に位置する収納穴と、を有する。パワー端子は、絶縁性本体の舌板の端子溝に挿入され、端子溝から露出される接触部を有する。光部材は、前記収納穴に位置する複数のファイバーを有する。
【発明の効果】
【０００６】
従来の技術に比べると、本発明は以下の長所がある。本発明の電気コネクタは、ファイバーによって、伝送速度が速い。電気コネクタは、ＵＳＢ２．０Ａに対応する構造と実質的に同一になり、ＵＳＢ２．０Ａを製造する型で製造できる。
【図面の簡単な説明】
【０００７】
【図１】本発明の電気コネクタと相手プラグの立体斜視図である。
【図２】図１に示す電気コネクタの組立図である。
【図３】図２に示す電気コネクタの前面図である。
【図４】遮蔽部材が取り付けられない時の図２に示す電気コネクタの斜視図である。
【図５】遮蔽部材が取り付けられない時の電気コネクタの別の斜視図である。
【図６】図５に示す電気コネクタの分解斜視図である。
【図７】図６に示す電気コネクタの分解斜視図である。
【図８】相手プラグの前面図である。
【図９】相手プラグの分解斜視図である。
【図１０】図９に示す相手プラグの別の分解斜視図である。
【発明を実施するための形態】
【０００８】
図１〜図７に示すように、本発明の電気コネクタ１００はＵＳＢコネクタである。電気コネクタ１００は、絶縁性本体１と、絶縁性本体１に挿入される一対のパワー端子２と、絶縁性本体１に挿入される光部材３と、絶縁性本体１を遮蔽する遮蔽部材４とを備える。
【０００９】
絶縁性本体１は、本体部１１と、本体部１１から突出する舌板１２とを備える。図４〜図７に示すように、本体部１１は、対向する第１表面１１０及び第２表面１１１とを含む。図６及び図７に示すように、本体部１１には、第１表面１１０と第２表面１１１とを貫通する収納穴１１４が形成される。収納穴１１４の下には、遮蔽部材４に対応するスリット１１８が形成される。スリット１１８は、本体部１１の第１表面１１０から側部まで延在する。本体部１１の後部には、収納スペース１１５と、一対の支持部１１５１と、前記一対の支持部１１５１の間に位置する当接部１１７とが設けられる。収納穴１１４は、当接部１１７の上に、一対の支持部１１５１の間に形成される。当接部１１７の後には、一対の支持部１１５１の間に位置する凹溝１１６が形成される。当接部１１７には、凹溝１１６に向かって配置される当接面１１７１が設けられる。舌板１２は、対向する上、下表面１２１，１２２を有する。舌板１２の下表面１２２には、一対の端子溝１２３が形成される。収納穴１１４は、端子溝１２３の下に位置する。一対の端子溝１２３は、収納穴１１４の両側に配置される。
【００１０】
パワー端子２は、銅材料或いは他の金属材料で製造される。各パワー端子２は、接触部２１と、主体部２２と、主体部２２から折り曲げられる半田接続部２３とを備える。
【００１１】
光部材３は、レンズ部３０と一対のファイバー３３とを備える。レンズ部３０は、ガラス材料、或いは他の透明な材料で製造される。レンズ部３０は、基部３１と、基部３１から突出するノーズ部３２とを有する。レンズ部３０には、一対の挿入路３２１が形成される。ノーズ部３２には、ミラー部３４が挿入路３２１の前面に設けられる。ファイバー３３は、ガラス材料で製造される。他の実施形態において、光部材３は、樹脂材料で製造されるファイバーのみを有する。ファイバー３３は、レンズ部３０に挿入され、ミラー部３４に対応する。
【００１２】
図２及び図３に示すように、遮蔽部材４は、天板４１と、底板４２と、一対の側板４３と、後板４４とを有する。天板４１と底板４２とは複数の弾力片４５が設けられる。側板４３には、下向きに延在する取付脚４６が設けられる。
【００１３】
図４及び図５に示すように、電気コネクタ１００を取り付ける時、一対のパワー端子２が絶縁性本体１の端子溝１２３に挿入される。パワー端子２の接触部２１が端子溝１２３から下向きに露出する。光部材３が絶縁性本体１に挿入される。光部材３のノーズ部３２が収納穴１１４に嵌入される。ノーズ部３２の前面は、絶縁性本体１の本体部１１の第１表面１１０と面一になる。光部材３の基部３１は、凹溝１１６部分に嵌入され、当接面１１７１に接触する。一対のファイバー３３は、一対のパワー端子２の下に配置される。一対のパワー端子２は、一対のファイバー３３の外側に配置される。図２及び図３に示すように、遮蔽部材４は、絶縁性本体１を遮蔽する。遮蔽部材４の底板４２は、絶縁性本体１のスリット１１８に部分に挿入される。図３に示すように、遮蔽部材４の天板４１と舌板１２の間には、上スペース５１が形成される。遮蔽部材４の底板４２と舌板１２の間には、下スペース５２が形成される。
【００１４】
図８〜図１０に示すように、相手コネクタ６００は、絶縁性本体６と、絶縁性本体６に挿入される一対のパワー端子７と、相手光部材８と、カバー９と、ケーブル９０とを備える。
【００１５】
絶縁性本体６は、本体部６１と、本体部６１から突出する一対の舌部６２と、一対の舌部６２の間に形成される挿入穴６２２とを備える。舌部６２には複数のスロット６２１が形成される。各パワー端子７は、接触部７１と、半田接続部７３と、接触部７１と半田接続部７３との間に設けられる連接部７２とを有する。相手光部材８は、レンズ部８１と、レンズ部８１に挿入される一対のファイバー８２とを有する。レンズ部８１は、前端部８１１と、後端部８１２とを有する。レンズ部８１には一対の挿入路８４が形成される。挿入路８４の前端には、ミラー部８３が設けられる。ファイバー８２は、ガラス材料で製造される。他の実施形態において、相手光部材８は、樹脂材料で製造される一対のファイバー８２のみを有する。レンズ部８１は、ガラス或いは他の透明な材料で製造される。
【００１６】
カバー９は、天板９２と、底板９３と、収納スペース９１とを有する。天板９２と底板９３とには複数の開口部９４が形成される。
【００１７】
相手プラグ６００を取り付ける時、ファイバー８２がレンズ部８１の挿入路８４に挿入される。ファイバー８２の前端がミラー部８３に対応する。パワー端子７が絶縁性本体６のスロット６２１に挿入される。レンズ部８１が絶縁性本体６の挿入穴６２２に挿入される。レンズ部８１の後端部８１２が、本体部６１に係合する。ファイバー８２とパワー端子７とは、上下方向にオフセットする。レンズ部８１の前表面は、絶縁性本体６の舌部６２の前表面と実質的に面一になる。カバー９は、絶縁性本体６を遮蔽する。
【００１８】
相手プラグ６００が電気コネクタ１００と電気接続する時、舌部６２とレンズ部８１の前端部８１１とは、電気コネクタ１００の下スペース５２に挿入される。パワー端子２はパワー端子７と電気接続する。ファイバー３３は、ファイバー８２と対応する。収納スペース９１は、ＵＳＢ２．０Ａの収納スペースと実質的に同一である。遮蔽部材９の開口部９４は、電気コネクタ１００の弾力片４５と係合する。
【００１９】
舌部６２とレンズ部８１の前端部８１１との組立は、ＵＳＢ２．０Ａのフラグと実質的に同一である。これにより、相手プラグ６００は、ＵＳＢ２．０Ａを製造する型で製造できる。
【００２０】
電気コネクタ１００と相手プラグ６００とは、ＵＳＢ２．０の対応する構造と実質的に同一である。電気コネクタ１００と相手プラグ６００とは、ＵＳＢ２．０を製造する型で製造できる。
【００２１】
電気コネクタ１００と相手プラグ６００とは、パワー信号を伝送するパワー端子２、７と、信号を高速で伝送するファイバー３３、８２とを備える。信号は、パワー端子２，７とファイバー３３，６２によって、高速で伝送できる。パワー端子２，７とファイバー３３，６２とは、簡単な構造を有する。
【００２２】
伝送パスは、即ち、パワー端子とファイバーとは、相手方向に直交する上下方向と横方向にオフセットする。
【００２３】
以上、本発明について好ましい実施形態を参照して詳細に説明したが、実施形態はあくまでも例示的なものであり、これらに限定されるものではない。本発明に基き成し得る細部の修正或いは変更などは、いずれも本発明の技術的範囲に属するものである。
【符号の説明】
【００２４】
１００  電気コネクタ
１  絶縁性本体
１１  本体部
１１０  第１表面
１１１  第２表面
１１２  頂面
１１３  取付面
１１４  収納穴
１１５  収納スペース
１１５１  支持部
１１６  凹溝
１１７  当接部
１１７１  当接面
１１８  スリット
１２  舌板
１２１  上表面
１２２  下表面
１２３  端子溝
２  パワー端子
２１  接触部
２２  主体部
２３  半田接続部
３  光部材
３０  レンズ部
３１  基部
３２  ノーズ部
３２１  挿入路
３３  ファイバー
３４  ミラー部
４  遮蔽部材
４１  天板
４２  底板
４３  側板
４４  後板
４５  弾力片
４６  取付脚
５１  上スペース
５２  下スペース
６  絶縁性本体
６００  相手プラグ
６１  本体部
６２  舌部
６２１  スロット
６２２  挿入穴
７  パワー端子
７１  接触部
７２  連接部
７３  半田接続部
８  相手光部材
８１  レンズ部
８１１  前端部
８１２  後端部
８２  ファイバー
８３  ミラー部
８４  挿入路
９  カバー
９０  ケーブル
９１  収納スペース
９２  天板
９３  底板
９４  開口部
【図１】
2010212236.tif 000003
【図２】
2010212236.tif 000004
【図３】
2010212236.tif 000005
【図４】
2010212236.tif 000006
【図５】
2010212236.tif 000007
【図６】
2010212236.tif 000008
【図７】
2010212236.tif 000009
【図８】
2010212236.tif 000010
【図９】
2010212236.tif 000011
【図１０】
2010212236.tif 000012